(57)【特許請求の範囲】
【請求項１】
調理物を加熱する加熱調理器と、当該加熱調理器と無線中継器を介して通信を行う間接通信方式で無線通信する携帯端末とを備えた加熱調理システムであって、
前記加熱調理器が、前記加熱調理器の通信機能の動作を確認するためのテストモードの処理内容と、前記携帯端末から当該テストモードの実行を指示するための情報を含む端末表示情報を備えるテスト実行情報と、を記憶した記憶部を備え、
前記加熱調理器と前記携帯端末とが直接通信を行う直接通信方式で通信を行う状態に設定可能に構成され、
前記加熱調理器が、直接通信方式で通信を行う状態に切り替えられると、前記端末表示情報を前記携帯端末に送信するためのＷｅｂサーバ機能が起動するように構成され、
前記直接通信方式で通信を行う状態において、
前記携帯端末が、
前記加熱調理器に対して前記端末表示情報のリクエストを送信することで、前記加熱調理器の前記記憶部から前記テスト実行情報の前記端末表示情報を取得して、前記テストモードを実行するための操作画面を表示し、
前記操作画面において、前記加熱調理器に対して前記テストモードの実行を指示可能に構成され、
前記加熱調理器が、
前記テストモードの実行が指示されると、前記記憶部に記憶された前記処理内容の前記テストモードを実行し、
前記加熱調理器が、
前記携帯端末及び前記無線中継器との無線通信を行うための通信部と、
前記加熱調理器の作動状態の表示を行う表示部と、を備え、
前記処理内容に、前記加熱調理器内における前記通信部と前記表示部との間の機内通信を行い、前記表示部において作動状態の表示を行う処理が含まれる加熱調理システム。
【請求項２】
調理物を加熱する加熱調理器と、当該加熱調理器と無線中継器を介して通信を行う間接通信方式で無線通信する携帯端末とを備えた加熱調理システムであって、
前記携帯端末が、
前記加熱調理器の通信機能の動作を確認するためのテストモードの処理内容を記憶し、
前記加熱調理器が、前記携帯端末から当該テストモードの実行を指示するための情報を含む前記端末表示情報を備えるテスト実行情報を記憶した記憶部を備え、
前記加熱調理器と前記携帯端末とが直接通信を行う直接通信方式で通信を行う状態に設定可能に構成され、
前記加熱調理器が、直接通信方式で通信を行う状態に切り替えられると、前記端末表示情報を前記携帯端末に送信するためのＷｅｂサーバ機能が起動するように構成され、
前記直接通信方式で通信を行う状態において、
前記携帯端末が、
前記加熱調理器に対して前記端末表示情報のリクエストを送信することで、前記加熱調理器の前記記憶部から前記テスト実行情報の前記端末表示情報を取得して、前記テストモードを実行するための操作画面を表示し、
前記操作画面において、前記加熱調理器に対して前記テストモードの実行を指示するとともに、前記処理内容を送信可能に構成され、
前記加熱調理器が、
前記テストモードの実行が指示されると、受信した前記処理内容の前記テストモードを実行し、
前記加熱調理器が、
前記携帯端末及び前記無線中継器との無線通信を行うための通信部と、
前記加熱調理器の作動状態の表示を行う表示部と、を備え、
前記処理内容に、前記加熱調理器内における前記通信部と前記表示部との間の機内通信を行い、前記表示部において作動状態の表示を行う処理が含まれる加熱調理システム。
【請求項３】
前記加熱調理器が、
前記テストモードの終了後、前記直接通信方式を用いて前記携帯端末から操作可能に構成された請求項１又は２に記載の加熱調理システム。
【請求項４】
前記加熱調理器が、
前記テストモードを正常に終了した場合、前記携帯端末に対して前記無線中継器又は前記無線中継器を介する無線通信環境に問題がある蓋然性が高い旨を通知する通知部を備える請求項３に記載の加熱調理システム。 
【発明の詳細な説明】
【技術分野】
【０００１】
本発明は、調理物を加熱する加熱調理器と、当該加熱調理器と無線中継器を介して通信を行う間接通信方式で無線通信する携帯端末とを備えた加熱調理システムに関する。
【背景技術】
【０００２】
特許文献１に記載のように、コンロなどの加熱調理器において、調理物の状態をセンシングして、その状況をユーザに知らせる機能を有する加熱調理システムが知られている。
【０００３】
このような加熱調理システムでは、ガスコンロなどの加熱調理器と携帯端末とが備えられ、ガスコンロと携帯端末は無線により通信可能に構成される。ガスコンロは、各種の検出結果を用いて加熱状況を判定するように構成され、当該検出結果が携帯端末に送信される。
【０００４】
また、ガスコンロから携帯端末に検出結果を送信した際、ユーザの操作によって、携帯端末からガスコンロに確認済み信号が送信されなかった場合、ガスコンロは自動的にガスバーナーへの燃料ガスの供給を遮断できるように構成される。
【０００５】
特許文献１や、特許文献２の段落００４４には、加熱調理器の状態をインターネットを介して、加熱調理器が備えられた家屋外から、携帯端末を用いて長距離を隔てた状況にて加熱調理器と携帯端末との通信機能を用いることが開示されている。
【０００６】
家屋外から通信機能を用いることができるため、例えば、ユーザの自宅にて、ユーザの家族が加熱調理器によって調理を行なっているときに、ユーザが外出先から加熱調理器による加熱状況を確認する場合や、ユーザが加熱調理器による調理の終了後に外出した後に加熱調理器が停止していることの確認を外出先にて行なうことができ、利便性が高い。
【先行技術文献】
【特許文献】
【０００７】
【特許文献１】特開２００３−２１９０４５号公報
【特許文献２】特開２００６−０２９７１０号公報
【発明の概要】
【発明が解決しようとする課題】
【０００８】
上述のような通信を行う場合は、通常、加熱調理器と携帯端末とを直接通信させることは難しいため、加熱調理器と携帯端末との間に無線ルータなどの無線中継機器を介して通信を行うことになる。
【０００９】
そのために、加熱調理器をユーザ宅に設置した際には、無線ルータなどの無線中継機器を介して加熱調理器と携帯端末との間で行われる通信機能が確実に行われていることの試運転が行われることになる。
【００１０】
上記試運転によって、無線ルータなどの無線中継機器を介して加熱調理器と携帯端末との間で行われる通信機能に不都合があることが確認されたときには、無線ルータなどの無線中継機器および加熱調理器及び携帯端末の何れに故障などの問題があるのかが特定する必要があり、無線ルータなどの無線中継機器および加熱調理器及び携帯端末のうち問題がある機器の修理や交換などの是正を行う必要がある。
【００１１】
しかし、加熱調理器と携帯端末との間に無線ルータなどの無線中継機器を介して通信を行う場合、無線ルータなどの無線中継機器、加熱調理器及び携帯端末の何れに故障などの問題があるのかの特定には困難を伴う、という問題がある。
【００１２】
そこで、本発明の目的は、無線中継機器を介して加熱調理器と携帯端末との間で行われる通信機能に不都合がある場合に、無線ルータなどの無線中継機器、加熱調理器及び携帯端末の何れに故障などの問題があるのかの特定が容易に行える加熱調理システムを提供することを目的とする。
【課題を解決するための手段】
【００１３】
上記目的を達成するため、本発明に係る加熱調理システムの特徴構成は、調理物を加熱する加熱調理器と、当該加熱調理器と無線中継器を介して通信を行う間接通信方式で無線通信する携帯端末とを備えた加熱調理システムであって、
前記加熱調理器が、前記加熱調理器の通信機能の動作を確認するためのテストモードの処理内容と、前記携帯端末から当該テストモードの実行を指示するための情報を含む端末表示情報を備えるテスト実行情報と、を記憶した記憶部を備え、
前記加熱調理器と前記携帯端末とが直接通信を行う直接通信方式で通信を行う状態に設定可能に構成され、
前記加熱調理器が、直接通信方式で通信を行う状態に切り替えられると、前記端末表示情報を前記携帯端末に送信するためのＷｅｂサーバ機能が起動するように構成され、
前記直接通信方式で通信を行う状態において、
前記携帯端末が、
前記加熱調理器に対して前記端末表示情報のリクエストを送信することで、前記加熱調理器の前記記憶部から前記テスト実行情報の前記端末表示情報を取得して、前記テストモードを実行するための操作画面を表示し、
前記操作画面において、前記加熱調理器に対して前記テストモードの実行を指示可能に構成され、
前記加熱調理器が、
前記テストモードの実行が指示されると、前記記憶部に記憶された前記処理内容の前記テストモードを実行し、
前記加熱調理器が、
前記携帯端末及び前記無線中継器との無線通信を行うための通信部と、
前記加熱調理器の作動状態の表示を行う表示部と、を備え、
前記処理内容に、前記加熱調理器内における前記通信部と前記表示部との間の機内通信を行い、前記表示部において作動状態の表示を行う処理が含まれる点にある。 
【００１４】
上記特徴構成によれば、間接通信方式での無線通信を行うことが出来ない場合に、直接通信方式で通信を行うことができる。よって、間接通信方式でエラーが発生した場合に、直接通信方式で通信を行うことができる。
そして、直接通信方式で通信を行う状態においては、携帯端末から加熱調理器に対してテストモードの実行を指示することができる。そして、加熱調理器は、テストの処理内容を記憶しているため、加熱調理器が複数種存在する場合であっても、当該加熱調理器に合わせた通信機能の動作を確認するためのテストモードを行うことができる。
間接通信方式では、携帯端末と加熱調理器との間に、無線中継器が介在する一方、直接通信方式においては、携帯端末と加熱調理器との間に、無線中継器が存在しない。そして、上記特徴構成においては、携帯端末が加熱調理器の記憶部からテスト実行情報を受信するとともに、テストモードの実行の指示を携帯端末から加熱調理器に送信することで、直接通信方式で通信が送受信ともに正常に行えるかを確認できる。よって、間接通信方式で通信が正常に行えず、直接通信方式において加熱調理器の通信機能が正常であることを確認できた場合には、無線中継器または無線通信環境（電波環境）に問題があることを特定することができる。
すなわち、問題がある箇所の特定を容易に行える加熱調理システムを提供することができる。また、本加熱調理システムを用いることにより、加熱調理器の設置作業者は、無線中継器の交換や無線通信環境の改善（妨害ノイズの除去）などの適切な処置を講じることが可能となる。
又、上記特徴構成によれば、テストモードを実行した際、加熱調理器の表示部において作動状態の表示テストを合わせて行うことができる。この際、表示部において作動状態の表示も行われるため、携帯端末からテストモード実行指示を送った作業者が、テストモードが正常に行われているかを、視覚的に確認することができる。
また、通信機能が正常に行われたか否かに加えて、表示部の動作及び表示部と通信部との間の機内通信が正常に行えるかどうかを確認することができる。
すなわち、問題がある箇所の特定を容易に行える加熱調理システムを提供することができるとともに、加熱調理器の機内通信に問題がないかを確認することができる加熱調理システムを提供できる。
【００１５】
また別の特徴構成は、調理物を加熱する加熱調理器と、当該加熱調理器と無線中継器を介して通信を行う間接通信方式で無線通信する携帯端末とを備えた加熱調理システムであって、
前記携帯端末が、
前記加熱調理器の通信機能の動作を確認するためのテストモードの処理内容を記憶し、
前記加熱調理器が、前記携帯端末から当該テストモードの実行を指示するための情報を含む前記端末表示情報を備えるテスト実行情報を記憶した記憶部を備え、
前記加熱調理器と前記携帯端末とが直接通信を行う直接通信方式で通信を行う状態に設定可能に構成され、
前記加熱調理器が、直接通信方式で通信を行う状態に切り替えられると、前記端末表示情報を前記携帯端末に送信するためのＷｅｂサーバ機能が起動するように構成され、
前記直接通信方式で通信を行う状態において、
前記携帯端末が、
前記加熱調理器に対して前記端末表示情報のリクエストを送信することで、前記加熱調理器の前記記憶部から前記テスト実行情報の前記端末表示情報を取得して、前記テストモードを実行するための操作画面を表示し、
前記操作画面において、前記加熱調理器に対して前記テストモードの実行を指示するとともに、前記処理内容を送信可能に構成され、
前記加熱調理器が、
前記テストモードの実行が指示されると、受信した前記処理内容の前記テストモードを実行し、
前記加熱調理器が、
前記携帯端末及び前記無線中継器との無線通信を行うための通信部と、
前記加熱調理器の作動状態の表示を行う表示部と、を備え、
前記処理内容に、前記加熱調理器内における前記通信部と前記表示部との間の機内通信を行い、前記表示部において作動状態の表示を行う処理が含まれる点にある。 
【００１６】
上記特徴構成によれば、携帯端末に直接通信する加熱調理器に対応したテストモードの処理内容を記憶しておくことで、加熱調理器側に処理内容を記憶することなく、加熱調理器のテストを実行することができる。
すなわち、問題がある箇所の特定を容易に行える加熱調理システムを提供することができる。また、本加熱調理システムを用いることにより、加熱調理器の設置作業者は、無線中継器の交換や無線通信環境の改善（妨害ノイズの除去）などの適切な処置を講じることが可能となる。
【００１８】
又、上記特徴構成によれば、テストモードを実行した際、加熱調理器の表示部において作動状態の表示テストを合わせて行うことができる。この際、表示部において作動状態の表示も行われるため、携帯端末からテストモード実行指示を送った作業者が、テストモードが正常に行われているかを、視覚的に確認することができる。
また、通信機能が正常に行われたか否かに加えて、表示部の動作及び表示部と通信部との間の機内通信が正常に行えるかどうかを確認することができる。
すなわち、問題がある箇所の特定を容易に行える加熱調理システムを提供することができるとともに、加熱調理器の機内通信に問題がないかを確認することができる加熱調理システムを提供できる。 
【００１９】
また、別の特徴は、前記加熱調理器が、
前記テストモードの終了後、前記直接通信方式を用いて前記携帯端末から操作可能に構成された点にある。
【００２０】
本加熱調理システムにおいて、間接通信が失敗し、直接通信が成功した場合、無線中継器を交換するなどの作業が必要になる。
上記特徴構成によれば、間接通信方式が行えず、直接通信方式でテストモードを実行した場合に、テストモードが成功すれば、そのまま直接通信を用いて携帯端末から加熱調理器を操作することが可能になる。よって、無線中継器の交換などの作業が完了するまでの間も、携帯端末から加熱調理器を操作することができる。
すなわち、問題がある箇所の特定を容易に行える加熱調理システムを提供することができるとともに、無線中継器周りに問題があった場合でも、ユーザーの利便性の低下を抑えた加熱調理システムを提供できる。
【００２１】
さらに、別の特徴は、前記加熱調理器が、
前記テストモードを正常に終了した場合、前記携帯端末に対して前記無線中継器又は前記無線中継器を介する無線通信環境に問題がある蓋然性が高い旨を通知する通知部を備える点にある。
【００２２】
上記特徴構成によれば、テストモードが正常に終了した場合には、携帯端末に、不具合の可能性がある箇所について明示される。よって、例えば、加熱調理器の設置作業者などが、携帯端末を用いて手元で問題の原因を確認することができる。また、一般に、外部表示機能（ディスプレイ）に制限のある加熱調理器に比べ、携帯端末ではより多くの情報を表示することができるため、問題解決のためのより詳細な情報を表示することが可能となる。
すなわち、問題がある箇所の特定を容易に行える加熱調理システムを提供することができるとともに、無線中継器の交換や無線通信環境の改善（妨害ノイズの除去）などの適切な処置を講じることを支援する加熱調理システムを提供できる。
【図面の簡単な説明】
【００２３】
【図１】加熱調理システムの概要図
【図２】加熱調理器のブロック図
【図３】加熱調理器の表示部の外観図
【図４】携帯端末からテストモードの実行を指示するための画面を示す図
【発明を実施するための形態】
【００２４】
１．加熱調理システムの概略構成
本発明の実施形態に係る加熱調理システムＳを、図を用いて説明する。
図１に示すように、加熱調理システムＳは、調理物を加熱する加熱調理器１と、無線通信により加熱調理器１の遠隔操作や加熱調理器１の状態表示を行う携帯端末２とを備える。本実施形態においては、加熱調理器１としてグリル付ガスコンロを、携帯端末２としてスマートフォンを用いる場合を説明する。
【００２５】
加熱調理器１及び携帯端末２は、無線ＬＡＮを用いて通信可能に構成される。より詳しくは、加熱調理器１及び携帯端末２は、無線中継器３を介して加熱調理器１と通信を行うインフラストラクチャモードＡ、及び1対１で直接通信を行うアクセスポイントモードＢのいずれかで通信可能に構成される。無線中継器３としては、無線ルータを用いる。インフラストラクチャモードＡが「間接通信方式」に相当し、アクセスポイントモードＢが「直接通信方式」に相当する。
【００２６】
本実施形態では、直接通信方式としてアクセスポイントモードＢを用いるため、アドホックモードなどの異なる直接通信方式を用いる場合に比べ、インフラストラクチャモードＡにおいて無線接続が失敗した原因を、より正確に特定することができる。この点について、より詳しく説明すると、アドホックモードなどの直接通信方式を用いた場合には、ＯＳＩ第３層以上のプロトコルはインフラストラクチャモードＡと同様であるがＯＳＩ第２層のプロトコルが異なる。このため、電波状況の悪化などの障害の特定には問題はないものの、ＯＳＩ第２層のプロトコルレベルで問題が発生した場合には、問題を特定することが難しい。これに対して、アクセスポイントモードＢを用いる場合には、ＯＳＩ第２層のプロトコルまで含めて、インフラストラクチャモードＡと同様のプロトコルを用いて無線通信を行うことができるため、より正確に、インフラストラクチャモードＡでの加熱調理器１と携帯端末２との無線通信において、加熱調理器１と携帯端末２との何れに故障などの問題があるのかの特定（問題の切り分け）が容易に行える。
【００２７】
１−１．インフラストラクチャモードでの通信
本実施形態においては、加熱調理器１及び携帯端末２は、通常、インフラストラクチャモードＡにより通信を行うように構成される。加熱調理器１及び携帯端末２がインフラストラクチャモードＡで通信する状態を、以下では「通常通信モード」と呼ぶ。
【００２８】
通常通信モードにおいては、例えば、携帯端末２から、加熱調理器１に備えられたコンロ部またはグリル部の火力設定やタイマー設定を行うことができる。具体的には、携帯端末２があらかじめ外部のサーバ（不図示）からダウンロードされたレシピを表示できるように構成される。携帯端末２に表示されたレシピにおいて加熱調理器１のコンロ部またはグリル部を用いてタイマー調理する手順において、レシピに記載された火力設定または時間設定を、加熱調理器１に転送し設定できるように構成される。このような機能を備えるため、調理時に必要な加熱調理器１の操作を簡略化することができ、使い勝手に優れる。
【００２９】
なお、加熱調理器１及び携帯端末２が、インフラストラクチャモードＡで通信するためには、あらかじめ加熱調理器１及び携帯端末２に対して、それぞれ無線中継器３に接続するため初期設定を行う必要がある
【００３０】
初期設定としては、具体的には、無線中継器３に接続するためのＳＳＩＤやパスワードを記憶し、相互に通信できるように互いの識別情報（例えば、ＩＰアドレス）を交換するといった動作を行う。ＳＳＩＤやパスワードの記憶には、ＷＰＳなどの自動設定手段を用いて行う方法や、利用者が手動で入力する方法を用いることができる。
【００３１】
１−２．インフラストラクチャモードの接続に関する課題
上記初期設定が完了すると、無線中継器３を介して、加熱調理器１と携帯端末２とがインフラストラクチャモードＡにより通信を行う通常通信モードでの通信が実行可能となる。
【００３２】
しかし、上記初期設定が何らかの原因により完了しないときには、その原因を特定し、解決策を考える必要がある。特に、例えば、作業員が一般家庭に加熱調理器１を設置する場合には、速やかに原因を特定し、顧客に対して解決策を提示できることが望ましい。しかしながら、インフラストラクチャモードＡにおいては、加熱調理器１、携帯端末２、及び無線中継器３と３つの機器が連携して通信が行われるため、いずれに起因して問題が発生しているのかを特定することは容易ではない。
【００３３】
１−３．アクセスポイントモードでの通信
そこで、上記初期設定が何らかの原因により完了しないときには、その原因を特定するために、加熱調理器１と携帯端末２とが無線中継器３を介さず直接無線による通信を行うアクセスポイントモードＢによる通信が実行可能に構成されている。
【００３４】
アクセスポイントモードＢでは、加熱調理器１がいわゆるアクセスポイントとして振る舞う。加熱調理器１には、あらかじめアクセスポイントとして動作するときの無線接続設定（ＳＳＩＤとパスワード）が記憶されており、携帯端末２の利用者が当該無線接続設定（ＳＳＩＤとパスワード）を設定することで、携帯端末２から加熱調理器１へ無線通信が行われ、相互に通信が可能に構成される。アクセスポイントモードＢでは、無線中継器３を介さずに加熱調理器１と携帯端末２とが直接、無線通信を行う。
【００３５】
本実施形態では、加熱調理器１は所定の操作により、アクセスポイントモードＢに切り替えられると、端末表示情報ｄ２を携帯端末２に送信するためのＷｅｂサーバ（例えば、ＨＴＴＰサーバ）機能が起動するように構成される。Ｗｅｂサーバ機能は、通信部１１に備えられる。
【００３６】
２．携帯端末の構成
携帯端末２は、無線ＬＡＮを用いて通信可能に構成され、インフラストラクチャモードＡ及びアクセスポイントモードＢのいずれかを選択して通信することができる。また、タッチパネルやボタンなどの入力部と、ディスプレイなどの表示部を備える。
【００３７】
携帯端末２は、加熱調理器１とアクセスポイントモードＢで通信を行う状態において、加熱調理器１の記憶部１３からテスト実行情報ｄを取得する。さらに、取得したテスト実行情報ｄを表示部に表示し、作業者が入力部を介して、加熱調理器１に対してテストモードの実行を指示可能に構成される。
【００３８】
３．加熱調理器の構成
図２に示すように、加熱調理器１は、大きく分けて、携帯端末２や無線中継器３などの外部の機器と無線通信を行うための通信部１１、加熱調理器１の作動状態を表示する操作表示部１２（表示パネル１２２）、テストモードに関する情報を記憶する記憶部１３、及び加熱調理器１内における機内通信を制御する制御部１４を備える。ここで、表示パネル１２２は「表示部」に相当する。
【００３９】
通信部１１は、加熱調理器１と携帯端末２との間で無線ＬＡＮ通信を行うために備えられており、具体的には、無線ＬＡＮ用のネットワークチップが相当する。通信部１１は、インフラストラクチャモードＡ及びアクセスポイントモードＢのいずれかで動作するように構成される。なお、アクセスポイントモードＢで通信を行うための設定（ＳＳＩＤやパスワード）は、あらかじめ、例えば工場出荷時の時点で、記憶部１３に記憶される。
【００４０】
操作表示部１２は、図１及び図３に示すように、利用者が加熱調理器１を利用し加熱調理を行うためのインターフェースであり、バーナの点火や火力の調整を行うための操作ボタン１２１と、加熱調理器１の動作状態を視認するための表示パネル１２２とを備える。なお、図３においては、操作表示部１２として、加熱調理器１の前面に設けられたグリル操作用表示部を例示するが、操作表示部１２として、加熱調理器１の上面に設けられたバーナ操作用表示部を用いても構わない。
【００４１】
記憶部１３は、テストモードの実行に必要なデータを記憶するための記憶装置であり、テスト実行情報ｄを記憶する。本実施形態においては、テスト実行情報ｄとして、加熱調理器１の通信機能の動作を確認するためのテストモードの処理内容ｄ１と、携帯端末２から当該テストモードの実行を指示するための情報を含む端末表示情報ｄ２と、が記憶される。
【００４２】
より具体的には、記憶部１３には、テストモードの処理内容ｄ１として、制御部１４を介した通信部１１と操作表示部１２との間の機内通信を行う手順、及び制御部１４を介さずに通信部１１と操作表示部１２との間で直接機内通信を行う手順、が記憶される。より具体的には、テストモードの処理内容ｄ１として、制御部１４が動作することで、通信部１１と操作表示部１２との間で機内通信を開始するための手順、及び通信部１１と操作表示部１２とが制御部１４による動作なしに、制御部１４を間に挟んで互いに直接機内通信を行う手順が記憶される。これらの手順により、図３に示す、操作表示部１２の表示パネル１２２の文字を、順次点灯させるといった動作が行われる。
【００４３】
さらに記憶部１３には、端末表示情報ｄ２として、図４に示すように、携帯端末２のディスプレイに表示するテストモードの実行を指示するためのボタンなどを含むＷｅｂページ情報（例えば、ＨＴＭＬファイル）等が記憶される。携帯端末２の利用者は、ディスプレイに表示された端末表示情報ｄ２を介して、加熱調理器１に対してテストモードの実行を指示することができる。
【００４４】
制御部１４は、加熱調理器１の各種機能（１１〜１３）が協調動作するように制御するための装置であり、具体的には、例えば、制御用のマイコンを用いることができる。本実施形態においては、加熱調理器１は、制御部１４を介して、通信部１１と操作表示部１２との間はシリアル通信により機内通信を行うように構成されている。
【００４５】
制御部１４は、操作表示部１２の操作ボタン１２１からの入力を受け取り、バーナなどの制御を行うことや、操作表示部１２の表示パネル１２２を加熱調理器１の動作状態に合わせて点灯させることなどの動作制御を行う。
【００４６】
また、制御部１４には、後述するテストモードを行うために、テストモード実行部１４１と通知部１４２が備えられる。テストモード実行部１４１は、記憶部１３に記憶されたテスト実行情報ｄを読み出して、端末表示情報ｄ２を通信部１１を介して携帯端末２に転送することや、テストモードの処理内容ｄ１に沿って各部の制御を行うことなどの動作制御を行う。また、通知部１４２は、通信部１１を介して携帯端末２にテストモードの実行結果に関する通知を行う。以下では、テストモード実行部１４１及び通知部１４２について詳述する。
【００４７】
３−１．テストモード実行部
本実施形態においては、加熱調理器１は、通常、インフラストラクチャモードＡで携帯端末２と無線通信を行うが、所定の操作が行われることによって、アクセスポイントモードＢで無線通信を行うように動作が切り替わる。
【００４８】
具体的には、加熱調理器１の制御部１４は、加熱調理器１の電源スイッチ（不図示）がＯＮ操作されてから、所定時間以内に、図３に示す操作ボタン１２１の調理モード選択キー１２１ａと、火加減選択キー１２１ｂとを同時に３秒以上押し操作する操作が行われると、上記所定の操作が行われたものとみなす。
【００４９】
制御部１４は、アクセスポイントモードＢで携帯端末２との通信を開始すると、記憶部１３に記憶されたテスト実行情報ｄを読み出し、携帯端末２にテスト実行情報ｄの端末表示情報ｄ２を送信する。
【００５０】
携帯端末２において、端末表示情報ｄ２により表示された画面におけるテスト実行ボタンがタッチされ、携帯端末２から加熱調理器１へテストモードの実行が指示されると、テストモード実行部１４１により、テスト実行情報ｄに含まれるテストモードの処理内容ｄ１が実行される。
【００５１】
３−２．通知部
テストモード実行部１４１によりテストモードを正常に終了した場合、通知部１４２によって、携帯端末２に対して、無線中継器３又は無線中継器３を介する無線通信環境に問題がある蓋然性が高い旨が通知される。通知部１４２は、問題箇所の提示に加えて、携帯端末２及び加熱調理器１に問題がない旨を合わせて通知しても良い。
【００５２】
３−３．テストモードの処理内容
テスト実行情報ｄに含まれるテストモードの処理内容ｄ１について説明する。本実施形態ででは、記憶部１３に記憶されたテストモードの処理内容ｄ１に、加熱調理器１内における通信部１１と操作表示部１２との間の機内通信を行い、操作表示部１２の表示パネル１２２において作動状態の表示を行う処理が含まれる。作動状態の表示処理としては、加熱調理器１における操作表示部１２の表示パネル１２２においてテストモード処理用の表示が行われる。
【００５３】
具体的には、テストモード処理用の表示として、図３に示すグリル操作部における表示を、「魚：姿焼き」→「魚：切り身」→「鶏もも焼き」→「ホイル焼き」→「トースト」→「ごはん」→「焼く」→「あたためる」→「ノンフライ」→「煮る」→「蒸す」→「パン」→「高」→「中」→「低」の順で順次点灯箇所を切り替える表示を行う。
【００５４】
このように構成されているので、テストモード処理を実行すると、表示パネル１２２によりテストモード処理が実行されていることを視認できる。さらに、機内通信を制御する制御部１４が適切に機能し、通信部１１と操作表示部１２との間の機内通信が適切に行われていること、及び、表示パネル１２２自体に問題がないことが確認できる。
【００５５】
４．テストモードの実行
加熱調理器１を設置時に、加熱調理器１と携帯端末２とを無線中継器３を介してインフラストラクチャモードＡで接続できなかった場合に、テストモードの実行手順を実施する。
【００５６】
まず、加熱調理器１をアクセスポイントモードＢに切り替えたのち、携帯端末２が加熱調理器１に接続されるように携帯端末２の無線設定を行う。ここで、携帯端末２のアクセスポイントモードＢへの切り替えは、携帯端末２の利用者が、あらかじめ決められた加熱調理器１のアクセスポイントモードＢ用の設定（ＳＳＩＤおよびパスワード）を適用することで行われる。
【００５７】
利用者が携帯端末２を操作し、加熱調理器１に対して端末表示情報ｄ２のリクエストを送信する（例えば、加熱調理器１のＩＰアドレスを用いてＨＴＴＰ通信でアクセスする）ことで、加熱調理器１の端末表示情報ｄ２が加熱調理器１から携帯端末２に転送され、図4に示すように、携帯端末２上にテストモードを実行するための操作画面が表示される。携帯端末２の操作画面が表示されれば、加熱調理器１から携帯端末２への直接通信は問題なく行われたことが確認できる。
【００５８】
携帯端末２に表示された操作画面において、加熱調理器１に対してテストモードが指示されると、加熱調理器１のテストモード実行部１４１により上述のテストモード処理が実行される。
【００５９】
アクセスポイントモードＢにてテストモードが実行され、テストモードの実行に成功した場合には、加熱調理器１内の機内通信及び操作表示部１２が正常に行われ、さらに加熱調理器１から携帯端末２への直接通信が正常に行われたことが確認できる。すなわち、加熱調理器１と携帯端末２とが無線中継器３を介さず直接無線による通信を行えることが確認できる。これにより、無線中継器３の故障または無線通信環境の問題がある蓋然性が高いと判断できる。
【００６０】
これにより、無線中継器３の交換や無線環境の改善（妨害ノイズの除去など）適切な処置を講じることが可能となる。
【００６１】
本実施形態では、制御部１４の通知部１４２により、テストモードの終了時に、携帯端末２において、無線中継器３の故障または無線通信環境（電波環境）の問題がある蓋然性が高い旨の報知が行われる。
【００６２】
このように、携帯端末２において、無線中継器３の故障または無線通信環境（電波環境）の問題がある蓋然性が高い旨の報知が行われるので、無線中継器３の交換や無線環境の改善（妨害ノイズの除去など）適切な処置を講じることが促され、適切な措置が講じられる助けとなる。
【００６３】
加えて、本実施形態においては、加熱調理器１は、テストモードの終了後、アクセスポイントモードＢを用いて携帯端末２から操作可能に構成され、テストモード終了後も、加熱調理器１は、アクセスポイントモードＢで無線通信を行う。
【００６４】
これにより、テストモード処理が完了した後には、加熱調理器１を通常通り使用することができるので、ルータなどの無線中継器３の問題が解決するまでの間も利用することができ使い勝手が良い。
【００６５】
〔その他の実施形態〕
（１）上記実施形態においては、機内通信にシリアル通信を用いる場合の例を示したが、機内通信をパラレル通信によって行うように構成してもよい。
【００６６】
（２）上記実施形態においては、直接通信方式として、加熱調理器１をアクセスポイントモードＢに切り替える場合の例を示したが、上記実施形態とは異なるプロトコルを用いる直接通信方式を用いても構わない。例えば、直接通信方式として、Ｗｉ−Ｆｉダイレクト（商標登録）やアドホックモードなどを用いることができる。
【００６８】
（３）上記実施形態においては、テストモード終了後、アクセスポイントモードＢで携帯端末２から加熱調理器１が操作可能な場合の例を示したが、テストモード終了後、加熱調理器１がインフラストラクチャモードＡに戻るように構成しても構わない。 
【００６９】
（４）上記実施形態においては、加熱調理器１の制御部１４が通知部１４２を備える場合の例を示したが、通知部１４２を備えない構成としても構わない。 
【００７０】
（５）上記実施形態においては、加熱調理器１の記憶部１３にテストモードの処理内容ｄ１が記憶される場合の例を示したが、携帯端末２にテストモードの処理内容ｄ１が記憶される構成としても構わない。この場合、携帯端末２は、必要に応じてインターネットを介して外部のサーバからテストモードの処理内容ｄ１を取得し記憶する構成とすることや、テストモードの実行前に、あらかじめ１つ以上の加熱調理器１に対応したテストモードの処理内容ｄ１を記憶する構成としても良い。このような構成とした場合には、携帯端末２は、加熱調理器１にテストモードの実行を指示するとともに、テストモードの処理内容ｄ１を送信するように構成すると良い。 
【００７１】
（６）上記実施形態においては、携帯端末２として、いわゆるスマートフォンを用いる場合の例を示したが、携帯端末２としては、無線ＬＡＮが利用可能な情報端末であればどのような機器であっても構わない。
【産業上の利用可能性】
【００７２】
本発明は、無線中継機器を介して加熱調理器と携帯端末との間で行われる通信機能に不都合がある場合に、無線ルータなどの無線中継機器および加熱調理器及び携帯端末の何れに故障などの問題があるのかの特定が容易に行える加熱調理システムとして利用可能である。
【符号の説明】
【００７３】
１        ：加熱調理器
２        ：携帯端末
３        ：無線中継器
１１      ：通信部
１２      ：操作表示部（表示部）
１３      ：記憶部
１２２    ：表示パネル（表示部）
１４２    ：通知部
Ａ        ：インフラストラクチャモード（間接通信方式）
Ｂ        ：アクセスポイントモード（直接通信方式）
Ｓ        ：加熱調理システム
ｄ        ：テスト実行情報
ｄ１      ：処理内容
【図１】
0006489779.tif 000002
【図２】
0006489779.tif 000003
【図３】
0006489779.tif 000004
【図４】
0006489779.tif 000005